(57)【特許請求の範囲】
【請求項１】
高い位置に置かれた高電圧ケーブル端部に結合する送変電施設用機器類を保守点検修理又は交換する工事現場を区画するためのネットを水平方向に架設及び収納する装置であって、該装置は、芯材とこれを固定する取付け材、前記芯材の周囲を回動可能な巻取り管、該巻取り管と前記芯材にそれぞれ一端を結合したスプリング、前記巻取り管に終端を固定され絶縁性材料で形成され鮮明な色に彩色された網部と上縁に綱を有するネット、及びばねで閉じられた少なくとも一対のこまを有し、前記こまは、前記取付材の上部から前記ネットの架設方向へ張出し、前記こまの間を前記綱が通過しており、前記ネットが前記巻取り管に巻き取られた状態で前記スプリングが巻き戻され、前記ネットが架設された状態で前記スプリングに巻戻し力が発生していることを特徴とする高電圧送変電施設工事用ネットの架設及び収納装置。
【請求項２】
前記ネットは上縁の綱と該綱から吊り下がる網部とを有し、前記綱と前記網部との間を着脱自在に繋ぐ係止帯により結合し、かつ前記綱と前記網部とをそれぞれ別個の巻取り管に巻き取られることを特徴とする請求項１に記載の高電圧送変電施設工事用ネットの架設及び収納装置。
【請求項３】
前記ネットの表示が表面と裏面とで異なり、かつ前記網部の上、下端に前記綱との係止帯が設けられていることを特徴とする請求項２に記載の高電圧送変電施設工事用ネットの架設及び収納装置。
【発明の詳細な説明】
【０００１】
【発明の属する技術分野】
本発明は、高い位置に配置された高電圧荷電機器を備えた発電所、変電所における機器やケーブルの点検、補修等の作業を、全面停電することなく実施する際に使用する、高電圧荷電危険ゾーンを区画するネットの架設及び収納装置に関する。
【０００２】
【従来の技術】
数キロボルト以上の高電圧乃至は数万ボルト以上の超高電圧を扱う、主に電力用の発・変電所では、各機器やケーブルは年に１度乃至は数年に１度の割合で定期点検したり、事故発生時には、分解補修、又は取り替え作業をする必要がある。これら各機器やケーブルは、地上又は床面から、間違って人間が手を挙げても接触することがないような高所、例えば最低２５０ｃｍ以上の高所に配置されている。この種の送・配電設備は、断線、短絡、落雷等の停電事故に備えて複数の回線をもっており、事故の発生時には回線を切り換えて送・配電できるようになっている。そこで、短時間の点検・補修工事は、設備全体を停電させることなく、設備の予備回路を利用して部分的に停電させ、送電しつつ順次機器の点検、補修、取替え工事等を行なっている。
しかし、このような作業は高所で、かつ隣接する機器やケーブルに数キロないし数万ボルトの電圧が荷電された状態で行なうために、点検、補修工事は極めて危険な作業環境といえる。
【０００３】
電気災害を防止するための安全衛生規則（第３４４条）では、人は２２ｋＶ以下の電圧を有する機器に接近できる限界距離が２０ｃｍ、６６ｋＶ〜７７ｋＶでは６０ｃｍと定められている。また、クレーン等の可動する重機類の接近限界距離は、２２ｋＶ以下では（２．０ｍ）、２２ｋＶ〜６６ｋＶでは（２．２ｍ）、６６ｋＶ〜１５４ｋＶで４．０ｍ、１５４ｋＶ〜２７５ｋＶで６．４ｍと規定されている。したがって、工事を実施するにあたっては、充分な安全が確保できる詳細な工事施工手順書が作成され、作業員に対して周知徹底することが求められている。
【０００４】
しかし、実際の発・変電施設では、機器やケーブルが複雑に配置され、作業者が高電圧荷電機器やケーブルからの距離や安全な機器かどうかを正確に把握することは困難である。また、変電所設備内は、基本的には人間の立入禁止場所であるが、点検等のために入室したとしても、床面に立つ限り安全なように、高電圧機器類は人間の手の届く高さに接近限界距離を加えた高さ以上の位置（以下、高所という。）に設置されている。
【０００５】
したがって、発・変電所内における点検、補修作業は、高所における重量物取扱い作業が中心となるが、周辺に高電圧荷電機器や活線ケーブルがあるため、新設時に使用する大型クレーンや運搬台車等は使用することが難しく、また作業内容や使用する工具等も千差万別である。一般にこの種の多様な作業は、現場に足場材を組んで、人間が直接機器に接して作業するのが最も効率的で正確である。しかし、危険な作業環境であることには変わりはなく、注意に注意を重ねても人や物に対する感電事故を皆無にすることは難しい。
【０００６】
例えば、三相一括断路器は、ガス遮断器に隣接し、床面から約４ｍの高さに起立する鉄構上に載置されている。この導電部を取外すためには、ガス遮断器と高電圧受電端子とを避けて足場とチェーンブロック等の吊点を足場用のパイプで組む必要がある。また、建屋の壁貫通形ブッシングの碍子取替え作業では、１〜４ｍ間隔で並んでいる碍子の間に足場材を使って作業足場とチェーンブロックの吊支点を組んでいたが、隣接するブッシングに高電圧が掛かっているかどうかの判別は、一見しただけでは判らず、慎重に行なわなければならない。これまではロープを張って注意するようにしていたが、ロープの位置が作業員の死角になったり、ロープのどちら側が危険なのか、また、張替えが面倒等の理由から、ヒヤリ事故も絶えなかった。
【０００７】
【発明が解決しようとする課題】
本発明の課題は、活線状態の発・変電所内の一部機器を停電させ、これの点検・補修等の工事を行なうに際して、機器やケーブルからの離間距離を正確にしかも識別しやすく示し、危険な高電圧領域と安全な作業領域とを簡便に見分けるための工事用の標識装置を提供することである。
また、掲示する表示内容が、例えば作業員の接近許容距離と重機等の接近許容域とを区別するなどの、それぞれの作業に応じて変更することができ、安全性を特に高めた区画の標識法を提供することである。
【０００８】
【課題を解決するための手段】
前記の課題を解決するために、本発明の高電圧送変電施設工事用ネットの架設及び収納装置、すなわちセーフティーネットは、高い位置に置かれた高電圧ケーブル端部に結合する送変電施設用機器類を保守点検修理又は交換する工事現場を区画するためのネットを水平方向に架設及び収納する装置であって、該装置は、芯材とこれを固定する取付け材、前記芯材の周囲を回動可能な巻取り管、該巻取り管と前記芯材にそれぞれ一端を結合したスプリング、前記巻取り管に終端を固定され絶縁性材料で形成され鮮明な色に彩色された網部と上縁に綱を有するネット、及びばねで閉じられた少なくとも一対のこまを有し、前記こまは、前記取付材の上部から前記ネットの架設方向へ張出し、前記こまの間を前記綱が通過しており、前記ネットが前記巻取り管に巻き取られた状態で前記スプリングが巻き戻され、前記ネットが架設された状態で前記スプリングに巻戻し力が発生していることを特徴とする高電圧送変電施設工事用ネットの架設及び収納装置である。
【００１０】
さらに、前記ネットは上縁の綱と該綱から吊り下がる網部とを有し、前記綱と前記網部との間を着脱自在に繋ぐ係止帯により結合し、かつ前記綱と前記網部とをそれぞれ別個の巻取り管に巻き取られることを特徴とする高電圧送変電施設工事用ネットの架設及び収納装置である。
【００１１】
また、前記ネットの表示が表面と裏面とで異なり、かつ前記網部の上、下端に前記綱との係止帯が設けられていることを特徴とする高電圧送変電施設工事用ネットの架設及び収納装置でもある。
【００１３】
【発明の実施の形態】
以下、本発明に係る工事用の高所で、主に水平方向に配置されている高電圧荷電部を示す掲示ネットの架設及び収納装置について、図面を参照して詳しく説明するが、本発明はこれに限定されるものではない。
図１は、表示ネット（１０）と巻取り機（８）の一部断面外観図である。ネット（１０）は、上縁綱（１３）と網部（１１）からなる絶縁性材料の反物であり、その先端に端軸（１５）と止具（１７）があって延伸したときに所定の位置に係止させることができる。ネット（１０）の後端はリール状の巻取り管（２５）に繋がれている。巻取り管（２５）はスプリング（２９）によって芯材（２７）に繋がれ、ばねの弾性力で芯材（２７）を中心に回転し、展延したネット（１０）に引戻す力を与えている。すなわち、端軸（１５）を図の矢印方向へ引っ張ると、ネット（１０）は巻取り管（２５）から繰り出され、必要な長さになったところで、止具（１７）で固定すると、スプリングの力で張力が与えられて張り渡される。なお、巻取り管（２５）と一体に形成されているつば（２３）の回転を止めるストッパーを取付材（２１）に設けておけば、延伸したネット（１０）を安定して張り渡すことができる。
網部（１１）は、黒色と黄色の糸を組み合わせて色彩的に目立つようにしたり、一方の面は赤色で他方の面を緑色に彩色した布を張り付けたり、二つ折りにして上縁綱（１３）の左右に垂らしたりして、危険領域と作業可能領域とを容易に識別できるようにするのが好ましい。
巻取り管（２５）の内面に巻取り管取付具（３１）があり、これにスプリング（２９）の一端が固定される。スプリング（２９）の他端は芯材（２７）の芯材取付具（３３）によって固定される。スプリング（２９）は、ネットの長さに応じてその長さや張力を選ぶようにするが、複数条を内蔵させ、巻取り管（２５）の複数位置に巻取り管取付具（３１）を設けると巻取り管（２５）の回転がスムーズになる。
芯材（２７）の上下端を保持して取付材（２１）があり、壁又は床面に固定してネット（１０）を展延したり、収納するようになっている。
【００１４】
図２は、表示ネット（１０）を水平方向に延伸している場合の斜視図である。ネット（１０）を巻き戻すときにネットが自重で垂下り、巻取り管（２５）の下方に片寄って巻き戻されないようにするため、位置決め具（５０）の回転可能な一対のコマ（５１），（５２）によって上方へ引き上げながら巻き戻している。
【００１５】
図３に一対のコマ（５１）と（５２）の断面図の一例を示す。コマ（５１）は下側のつば（５６）が上側つば（５７）より広く、コマ（５２）は上下のつばがほぼ同じ長さの鼓状である。上縁綱（１３）はコマ（５１）と（５２）との間に閉じ込められ、網部（１１）はコマ（５１）と（５２）との隙間から下に吊り下がっているので、ネット（１０）が位置決め用のコマ部を通過して展伸又は巻戻されることを可能にしている。コマ（５１）及び（５２）はそれぞれ支柱（５３）、（５３）に取付けられ、バネ（５４）の弾性で間隙を保持しているので、コマのつば間にネットが食込んで動かなくなることがない。
支柱（５３）及び（５３）又は支柱を取付けた横梁（５５）を、上下に一定範囲で往復動させる機構を付設することによって、肉厚の上縁綱（１３）の巻取りを平準化させることができる。
【００１６】
図４は、建屋壁貫通形ブッシングの屋外碍子の取替え作業に適用した場合の他の実施例の説明図である。
建屋（４０）の外壁（４１）に多数系列の三相高電圧ケーブル（４３）が壁貫通形ブッシング（４２）を介して屋内の機器に接続している。図では、ブッシング（４２−１）、（４２−２）及び（４２−３）までは電源から切り離されているが、奥の方の（４２−４）、（４２−５）以下のブッシングには高電圧ケーブルが接続されており、手前の碍子の点検作業をしようとしている。
そこで、危険な領域と安全な領域とを識別するために、表示ネット（１０）を外壁（４１）に設けた止具（１７）と、外壁（４１）に対面した遮風壁（４４）に固定したフック（４５−１）、（４５−２）間に張り巡らせている。表示ネット（１０）は、フック（４５−２）からさらに地上にまで延長され、床に置いた巻取機（８）に終端が巻き込まれている。巻取機（８）は、芯材（２７）にスプリングで上縁綱巻取管（２４）と網部巻取管（２６）とを付勢して別個の巻取り管として取付けてあり、かつ、取外し可能なっている。
本実施例のネット（１０）は、上縁綱（１３）と網部（１１）との間に係止帯（１２）があって綱と網とを分離可能にしている。綱と網部を分けることによって、作業に適した網部（１１）の模様、形状を選択することができる。とくに、ネットの全長が長くなると、巻き取ったときに上縁綱と網部の肉厚の違いによる、巻取りの不均一が起きるので、別個の巻取管に巻き取ることによって、この不都合を解消することができる。
上縁綱（１３）と網部（１１）との間を着脱自在に繋ぐ係止帯（１２）は、網部（１１）の上端に鉤ホックを付けておいても良く、また上縁綱（１３）と網部（１１）にそれぞれチャックやマジックテープ（登録商標）を予め取付けておいてもよい。網部（１１）の上下の端に係止帯（１２）の取付具を付設しておくと、網部の上下を容易に変更することができ、ネットの裏表の表示変更が可能である。
【００１７】
図５に、ネット（１０）を掛渡したフック（４５）の斜視図の一例を示す。フック（４５）は、有機樹脂で成形したものや金属芯材に絶縁性材料を塗布したり埋め込み成形したものが用いられ、壁面や機器の支柱等にビス止めしたり、接着剤で固定して使用され、ネット（１０）が所定の位置に張巡らされるように工夫されている。フックは上縁綱（１３）が通過する空間（４６）と網部（１１）が垂下る切欠け（４７）を持った環状又は多角形の枠であり、網部（１１）が自由に下方へ垂下ってネットの通過に支障がないようになっている。切欠け（４７）の隙間は、網部は通るが、上縁綱（１３）は通らず、ネット（１０）が外れないように設定されている。
【００１８】
図６は、本発明に使用するフックの他の構造である。フック（４５）の内部空間（４６）に上縁綱（１３）が保持され、網部（１１）が切欠け（４７）から下方へ吊り下がっている。切欠け（４７）の一方には可動片（４８）があり、下方から押し上げると切欠け（４７）が広くなり、上縁綱（１３）が容易に内部空間（４６）に挿入される。可動片（４８）が通常の位置に復帰すると、切欠け（４７）が狭くなり、上縁綱（１３）が外れて落下するようなことはない。ネットをフックに掛けたり外したりするときは、作業員はフックの近傍に接近しなくても、絶縁棒等で掴んだネット（１０）の上縁綱（１３）を、切欠け（４７）からフックの空間（４６）に挿入したり、外したりすることができるので、ネット（１０）の架け替え作業を遠隔位置から行なうことができて、作業の安全性と迅速性とが増す。
【００１９】
【発明の効果】
以上、詳細かつ具体的な説明より明らかなように、本発明の表示ネットの採用により、稼動中の発・変電所に設置されている機器の一部を停止して点検、補修等の作業を行なうとき、作業実施可能領域と危険領域とを明瞭に識別することができるため、工事の安全性が格段に向上する。また表示ネットの取付け取外し作業は極めて容易であり、作業工数の低減と安全性の大幅向上が計られる。
【図面の簡単な説明】
【図１】本発明の高電圧荷電部表示ネットの一部断面図である。
【図２】本発明の表示ネットの延伸状態を説明する斜視図である。
【図３】上縁綱を所定の位置に保持するための位置決め具の断面図である。
【図４】本発明の表示ネットを建屋壁の外壁に取付けてある貫通形ブッシングの点検作業に適用したときの説明図である。
【図５】本発明に採用するフックの一例である。
【図６】本発明に採用するフックの他の例である。
【符号の説明】
８    巻取り機
１０  ネット
１１  網部
１２  係止帯
１３  上縁綱
１５  端軸
１７  止具
２１  取付材
２３  つば
２４  上縁綱巻取管
２５  巻取り管
２６  網部巻取管
２７  芯材
２９  スプリング
３１  巻取り管取付具
３３  芯材取付具
４０  建屋
４１  外壁
４２  ブッシング
４２−１  ブッシング
４２−２  ブッシング
４２−３  ブッシング
４２−４  ブッシング
４２−５  ブッシング
４３  ケーブル
４４  遮風壁
４５  フック
４５−１  フック
４５−２  フック
４６  フック内部空間
４７  切欠け
４８  可動片
５０  位置決め具
５１  コマ
５２  コマ
５３  支柱
５４  バネ
５５  横梁
５６  下側つば
５７  上側つば
【図１】
0004062667.tif 000002
【図２】
0004062667.tif 000003
【図３】
0004062667.tif 000004
【図４】
0004062667.tif 000005
【図５】
0004062667.tif 000006
【図６】
0004062667.tif 000007